(57)【要約】      （修正有）【課題】道路標識板への着雪による、雪の落下による事故を防ぎ、さらに雪の除去作業を不要とする逆Ｖ字型着雪防止板を提供する。【解決手段】標識板を取り付ける水平梁２に逆Ｖ字型着雪防止板６を取り付ける。この事で水平梁に積もる雪は自然に落下して雪の塊は発生しにくい。しかし、標識板の裏面に着雪する高リブ式では同様に着雪するので、裏面に平滑な板を取り付けるか、背面が平滑な二重パネル７を併用して着雪を防止する。【選択図】図７
0003184457.tif 000002
【実用新案登録請求の範囲】
【請求項１】
道路標識板の着雪防止を目的とするもので、水平梁（２）の上に積もる雪が塊となって落下して交通事故につながる危険性があり、それを回避するため水平梁の上に逆V字型着雪防止板（６）を取り付けて、水平梁上に積もる雪を常に着雪防止板の両側に分断して落下させ、水平梁上の着雪を防止する逆V字型着雪防止板。
【請求項２】
道路標識板の水平梁の上に積もる雪の着雪を防止するもので、断面が逆V字型であり、その外角（１４）が２００°以上３００°以内の角度を有する前記請求項１記載の逆V字型着雪防止板。
【請求項３】
道路標識板における水平梁の着雪を防止するもので、その断面が逆V字型であり、その中央に雪切板（１６）を備えた前記請求項１又は請求項２記載の逆V字型着雪防止板。
【考案の詳細な説明】
【技術分野】
【０００１】
冬季に、降雪の多い地域に発生する道路標識板への着雪によって、突然雪の塊が降下して交通の安全が脅かされる問題がある。着雪した雪が塊になって落下する時大きな衝撃エネルギーとなり、通行中の車と衝突して安全を阻害する問題が発生している。この為人手により着雪を除去する作業が必要であるが、着雪防止板により雪は自動的に落下して、雪の除去作業が不要となる省力化の技術である。
【背景技術】
【０００２】
道路標識の着雪を防止するため、いろいろな方法で実験が繰り返されている。その中で水平梁の上に斜めに板を取り付ける方法があり、ある程度の効果があることが解ってきた、しかし、標識板の裏面に張り出した高リブには着雪・降雪があり、標識板の裏面を防ぎながら、尚且つ水平梁の着雪を防ぐ総合的な着雪防止対策が求められている。
【０００３】
標識板の裏面を平滑にして裏面の着雪を防止する技術が実現した、これに併行して水平梁の着雪防止実験を繰り返し、ほぼ着雪防止が出来ることが発見できた。このことにより総合的な着雪防止対策が実現するものと予想される。
【先行技術文献】
【特許文献】
【０００４】
【特許文献１】特開平１０−１６８８３５号    冠雪を防止した道路標識板
【考案の概要】
【考案が解決しようとする課題】
【０００５】
通常、道路標識にはアルミ板に高リブを溶接して、高リブのボルト溝と取付金具とを固定する事で、強固に取り付けている。冬季になるとこの高リブに雪が積もって、積もった雪が大きな塊になって振動などで突然落下する。この事で通行中の車両に当り、フロントガラスの破損や車両への衝撃で交通の安全性を阻害している。
【０００６】
標識板用に高リブを溶接した標識板の背面に、平滑な板を取り付けて裏面に積もる雪を防ぐ方法も開発されているが、水平梁に積もった雪は同じように大きな雪の塊になり突然落下して重大な交通事故につながる可能性がある。従って背面に平滑な板を取り付けても、完全な着雪防止対策にはならない。
【０００７】
標識板を取り付ける水平梁上の着雪には、着雪防止板を取り付ける方法がある。その板はある程度の傾斜が必要で、水平梁全体を覆う必要がある。また、片流れであると積雪の量が増え、落下する時大きな雪の塊になり、安全性の向上には効果が低くなる。
【０００８】
着雪防止対策に、標識板全体を屋根で覆い着雪防止をする事は出来る。この場合は使用する部材が増え、構造も複雑になり製作コストを大幅に押し上げる。
【課題を解決するための手段】
【０００９】
標識板を取り付ける水平梁の丈夫に逆V字型着雪防止板を取り付ける。この事で水平梁に積もる雪は自然に落下して雪の塊は発生しにくい。しかし、標識板の裏面に着雪する高リブ式では同様に着雪するので、裏面に平滑な板を取り付けるか、背面が平滑な二重パネルを併用して着雪を防止する。
【００１０】
水平梁の着雪防止には、逆V字型着雪防止板を取り付ける、逆V字型であることで雪は水平梁の両側に分散して落下するため、大きな雪の塊は発生しにくい。水平梁に取り付ける時も、逆V字型は荷重が均等に分散されてかかる為、安定して水平梁に取り付けることが出来、安全性が高い。
【００１１】
水平梁の着雪防止板は逆V字型であり，その外角（１４）は２００°から３００°が適正である。２００°以下になると傾斜が緩くなり着雪防止効果が低くなり、３００°以上になると着雪防止効果は高くなるものの、水平梁を覆うには大きなサイズが必要となり、必要以上の無駄なコストが掛かる。
【００１２】
水平梁の着雪防止効果を最大に上げるには、標識板の背面が平滑である事が重要である。水平梁の雪が落下する時、標識板の高リブに引っかかってはその効果は半減する、標識板の裏面が平滑であれば常に雪は無い状態であり、そこに水平梁の雪が落下してもスムースに落下して着雪を防止する。
【００１３】
道路標識板の着雪を防止するには、標識板背面の着雪を防止する事が重要である、この為標識板の背面を平滑にして雪の付着を防止する、更に水平梁の上の積雪を防止する事が重要である。これらが総合的に機能して初めて道路標識板への着雪防止対策が実現する。
【００１４】
水平梁の上に取り付ける逆V字型着雪防止板は,適度の間隔で水平梁に固定する。水平梁に直接ボルト締めすることでも良いし、固定バンドで間接的に固定しても良い。安全性を考慮して振動などで緩んだり外れないように、強固に取り付ける。
【００１５】
着雪防止対策を確認する実験の結果を次の表１に示す。平地の積雪量２７０ｍｍに対して、通常の水平梁上に積もった雪は２６０ｍｍとほぼ平地と同じ量が積もっている。逆V字型着雪防止板を水平梁の上に取り付けると，積雪量は４５ｍｍに激減する。降った雪は常に逆V字型着雪防止板の両側に分断されて落下しており、大きな雪の塊は発生しない事が確認出来た。従って、この考案の効果は顕著である。
【表１】
0003184457.tif 000003
【考案の効果】
【００１６】
従来、水平梁の雪と高リブの雪が合体して、大きな雪の塊が出来て重大な事故につながっていた、標識板の裏面を平滑にする技術が実現されつつあるが、それだけでは着雪防止対策は不十分であり、本発明の水平梁の着雪防止が出来て、それら両方の技術を併用する事で、その原因の全てが取り除かれる事になり、標識板の着雪防止対策が完成した事になる。この事で雪による交通事故の減少につながるものと考えられる。
【図面の簡単な説明】
【００１７】
【図１】図１は道路標識板の全体構造図
【図２】図２は通常の道路標識板の背面図
【図３】図３は通常の道路標識板取り付け断面図
【図４】図４は道路標識板に着雪した背面図
【図５】図５は道路標識板に着雪した断面図
【図６】図６は道路標識板に着雪対策した背面図
【図７】図７は道路標識板に着雪対策した断面図
【図８】図８は着雪防止板の形状、Aタイプ、Bタイプの断面図
【考案を実施するための形態】
【００１８】
通常の道路標識板は図２、図３に示す通り、アルミ板の裏面に高リブを溶接して取り付け、高リブに設けられたボルト溝と取付金具とをボルトで固定する事で標識板を頑丈に取り付けている。この場合高リブの高さは約５０ｍｍであり、この高さの部分に雪が積もり、雪の塊となって落下する時大きな事故につながる。この為道路標識の裏面を平滑にする板を貼り付けるか、高リブを使わない背板付き二重パネルにより裏面の平滑を保ち、本発明の水平梁上に逆V字型着雪防止板を併用する事で総合的な着雪対策が出来る。
【００１９】
標識板を取り付ける水平梁に雪が積もる、この雪が塊になって突然落下して重大な事故につながる危険性がある。また、水平梁の雪と、高リブの雪が合体してより大きな雪の塊が出来ると、その落下エネルギーは大きく、交通事故の危険性がより増大する。この為標識板の裏面の平滑化と同時に水平梁上に逆V字型着雪防止板を取り付けることで、交通事故の危険性を軽減できる。
【実施例１】
【００２０】
図１は、道路標識の基本構造である。支柱（１）に水平梁（２）を設けて、標識板（３）を取り付ける。
【００２１】
図２、図３は通常の道路標識板取り付けの状態の背面図及び断面図。
【００２２】
図４、図５は通常の標識板に雪が積もった状態である、高リブと水平梁の上に着雪して雪の塊が発生している。この雪の塊は単独で落下する事もあるが、水平梁の雪が落下する時高リブの雪と合体して、より大きな雪の塊になって落下する事がある。
【００２３】
図６、図７は水平梁に着雪しないよう逆V字型着雪防止板を取り付ける。着雪防止板は外角（１４）を２００°から３００°とし、水平梁に降り注ぐ雪を絶え間なく両側に落下させ、大きな雪の塊の発生を防ぐ。
【００２４】
図８は逆V字型着雪防止板の２種類の断面図である。Aタイプは逆V字型であり、Bタイプはその中央に雪切板を設けたものである。雪質が重い地域の雪などで雪切れをスムースに行うためBタイプを使用するなど、降雪の条件によりAタイプ、Bタイプを使い分ける事で，その効果を最大限に発揮させる事が出来る。
【産業上の利用可能性】
【００２５】
逆V字型着雪防止板は道路標識板以外に、大型看板やアンテナ塔など、高い部分へ着雪する事で危険性を生じる箇所へ活用できる。高いところからの落雪は予想外の事故が起こる可能性があり、事故を未然に防ぐためにも、着雪を防止する対策の一つとして本発明を利用する価値は高い。
【符号の説明】
【００２６】
１    支柱
２    水平梁
３    標識板
４    高リブ
５    着雪した雪
６  逆V字型着雪防止板
７  背板付き二重パネル
８  標識板表示面
９  T型フレーム
１０  標識板取付金具
１１  標識板取り付けボルト
１２  取り付けボルト溝
１４  逆V字型着雪防止板の外角
１５  埋め込みボルト溝
１６  雪切板
【図１】
0003184457.tif 000004
【図２】
0003184457.tif 000005
【図３】
0003184457.tif 000006
【図４】
0003184457.tif 000007
【図５】
0003184457.tif 000008
【図６】
0003184457.tif 000009
【図７】
0003184457.tif 000010
【図８】
0003184457.tif 000011